(57)【要約】【課題】  室内を覗かれるような心配から遮蔽部材で遮蔽することができるが、室内には光を取り込むことができるとともに、既存の窓や戸の開口部に簡単に取り付けたり取り外したりすることができる。【解決手段】  窓Ｍや戸Ｔの開口部を遮蔽部材Ｋ１，Ｋ２で開閉する遮蔽部材の開閉機構であって、開口部Ｍ（Ｔ）に第１の吊り下げ用部材Ｓｔ１が架け渡され、この第１の吊り下げ用部材Ｓｔ１に、開閉動作する第２の遮蔽部材Ｋ２が昇降自在に吊り下げられ、また、第１の吊り下げ用部材Ｓｔ１に、開口部を開閉する第１の遮蔽部材Ｋ１が取り付けられている。【選択図】  図１
2009079453.tif 000002
【特許請求の範囲】
【請求項１】
窓や戸の開口部を遮蔽部材で開閉する遮蔽部材の開閉機構であって、開口部に第１の吊り下げ用部材が架け渡され、開口部を開閉する第１の遮蔽部材が第１の吊り下げ用部材に着脱自在に取り付けられるとともに、第１の吊り下げ用部材に昇降自在に吊り下げられて開口部を開閉する第２の遮蔽部材を備えることを特徴とする遮蔽部材の開閉機構。
【請求項２】
前記第２の遮蔽部材は、その下方側から巻き上げる巻上げ式であるか、又は、その下方側から折畳むように引き上げる引き上げ式であることを特徴とする請求項１記載の遮蔽部材の開閉機構。
【請求項３】
前記開口部の左右端側の少なくとも一方端側に、第２の遮蔽部材を昇降動作させるレールが備えられ、このレールに第２の遮蔽部材を吊り下げるための係止部材が嵌め込まれていることを特徴とする請求項１記載の遮蔽部材の開閉機構。
【請求項４】
前記レールに前記第２の遮蔽部材の取付け金具が嵌め込まれて、前記第２の遮蔽部材が昇降動作することを特徴とする請求項３記載の遮蔽部材の開閉機構。
【請求項５】
第１の遮蔽部材を昇降動作させる吊り下げ用の紐を備え、この吊り下げ用の紐は、その先端側が第１の遮蔽部材と連結され、その基端側を操作することにより、第１の遮蔽部材を昇降動作させることを特徴とする請求項１ないし４のいずれか一項記載の遮蔽部材の開閉機構。
【請求項６】
第２の遮蔽部材を開閉動作させる開閉操作用の紐を備え、この開閉操作用の紐は、その先端側が第２の遮蔽部材と連結され、その基端側を操作することにより、第２の遮蔽部材を開閉動作させることを特徴とする請求項１から５のいずれか一項記載の遮蔽部材の開閉機構。
【請求項７】
前記第１の吊り下げ用部材の内部に回転体を配し、この回転体に前記吊り下げ用の紐が巻装されていることを特徴とする請求項５記載の遮蔽部材の開閉機構。
【請求項８】
前記第２の遮蔽部材が取り付けられる第２の吊り下げ用部材を備え、この第２の吊り下げ用部材の内部に回転体を配し、この回転体に前記開閉操作用の紐が巻装されていることを特徴とする請求項６記載の遮蔽部材の開閉機構。
【発明の詳細な説明】
【技術分野】
【０００１】
本発明は、窓や戸の開口部を遮蔽する遮蔽部材の開閉機構に関するもので、例えば、カーテン、ブラインドや夏に使用する簾等に使用して好適な遮蔽部材の開閉機構に関する。
【背景技術】
【０００２】
カーテン、ブラインドや夏に使用する簾等は、部屋の中に光（日差し）が入る量を調整するものとして使用されたり、室内が外部から覗かれたりする事態を防止する遮蔽手段として使用される。
【０００３】
一般に、カーテンは、左右両開きや片開きなどの使用態様が多く（縦型タイプと言う）、ブラインドは、上方から吊り下げるように取り付けられて昇降動作させる使用態様であり（横型タイプと言う）、カーテンでも横型タイプのものもあるなど（例えば、ロールカーテン等）、その使用態様は種々ある（特許文献１）。夏に使用する簾は、強い日差しを避けるとともに涼しさを醸し出す遮蔽部材であるが、窓や戸の開口部に簡易に取付けて使用することができるものも既に存在し（特許文献２）、これには横型タイプのものが多い。
【特許文献１】特開２００５−１４６７３６号公報
【特許文献２】実用新案登録第３０６０６１３号公報
【発明の開示】
【発明が解決しようとする課題】
【０００４】
ところで、これらの遮蔽部材において、外部からは見えないようにしながらも、室内に光を取り込みたい場合がある。例えば、都会の生活環境の中で、隣との距離が近くて、室内を覗かれるような心配から上記遮蔽部材で遮蔽したいが、室内には光を取り込みたい場合などである。一般的には、カーテンを二重にして、外側にはレースのカーテンを使用し、内側に光を遮断する厚地の生地を吊り下げる等する方法もあるが、レースのカーテンではやはり内部が見える心配があり、十分なものではなく、また、光を十分に室内に入れることをレースのカーテンが妨げることになる。
【０００５】
そこで、本発明の目的は、室内を覗かれるような心配から遮蔽部材で遮蔽することができるが、室内には光を取り込むことができるとともに、既存の窓や戸の開口部に簡単に取り付けたり取り外したりすることができるとともに、遮蔽部材の開閉作業も容易で、しかも、開閉機構の部品が内部に隠れて外観上の見栄えも良好な遮蔽部材の開閉機構を提供することにある。
【課題を解決するための手段】
【０００６】
本発明の遮蔽部材の開閉機構は、窓や戸の開口部を遮蔽部材で開閉する遮蔽部材の開閉機構であって、開口部に第１の吊り下げ用部材が架け渡され、開口部を開閉する第１の遮蔽部材が第１の吊り下げ用部材に着脱自在に取り付けられるとともに、第１の吊り下げ用部材に昇降自在に吊り下げられて開口部を開閉する第２の遮蔽部材を備えることを特徴とする。
【０００７】
本発明によれば、第２の遮蔽部材は第１の吊り下げ用部材に昇降自在に吊り下げられていることから、例えば、開口部の上方側から少し下げた位置で第２の遮蔽部材を吊り下げれば、開口側の上方側から日差しを部屋の中に入れることができる。開口部の上方側から入る光は、低い位置から入る光よりも室内全体を明るくする。したがって、第２の遮蔽部材により、開口部の下方側を遮蔽した状態にして、開口部の上方側から光を部屋の中に入れることができる。また、第２の遮蔽部材を下げた位置で吊り下げ、第２の遮蔽部材を開閉動作させれば、所定の高さ位置だけの外部から除き込まれない目隠しとして使用できる。
【０００８】
ここで、第１の遮蔽部材は、第１の吊り下げ用部材に対して着脱自在であり、使用しても使用しなくても良い。しかし、二枚合わせの遮蔽部材を構成する場合には、第１の遮蔽部材を使用すると良い。例えば、カーテンで説明すると、第１の遮蔽部材はレース地のカーテンとして、第２の遮蔽部材は暗幕とするような厚地のカーテンとしての二枚合わせの遮蔽部材を構成した、使用例が考えられる。
【０００９】
本発明としては、前記第２の遮蔽部材は、その下方側から巻き上げる巻上げ式であるか、又は、その下方側から折畳むように引き上げる引き上げ式であることが好ましい。前記第２の遮蔽部材を所定の高さに引き下げた場合、前記第２の遮蔽部材の下方側が床に接することとなる場合があるが、本発明によれば、前記第２の遮蔽部材は、その下方側から巻き上げたり、引き上げたりする方式であるので、そのような事態を防止することができる。また、折畳むように引き上げることで、引き上げに際してシワの発生を防止する。
【００１０】
本発明としては、前記開口部の左右端側の少なくとも一方端側に、第２の遮蔽部材を昇降動作させるレールが備えられ、このレールに第２の遮蔽部材を吊り下げるための係止部材が嵌め込まれていることが好ましい。
【００１１】
この発明によれば、前記開口部の左右端側の少なくとも一方端側に、第２の開閉機構を昇降動作させるレールが備えられているので、第２の遮蔽部材が係止部材を介してスムーズに所定の高さ位置に昇降動作させることができる。
【００１２】
本発明としては、前記レールに前記第２の遮蔽部材の取付け金具が嵌め込まれて前記第２の遮蔽部材が昇降動作することが好ましい。
【００１３】
この発明によれば、前記レールに、第２の遮蔽部材の取付け金具が嵌め込まれて第２の遮蔽部材が昇降動作するようにできるが、このレールが第２の開閉機構の昇降動作と第２の遮蔽部材の昇降動作を兼用可能にしているので、レール本数を少なくすることができる。
【００１４】
本発明としては、第１の遮蔽部材を昇降動作させる吊り下げ用の紐を備え、この吊り下げ用の紐は、その先端側が第１の遮蔽部材と連結され、その基端側を操作することにより、第１の遮蔽部材を昇降動作させることが好ましい。また、本発明としては、第２の遮蔽部材を開閉動作させる開閉操作用の紐を備え、この開閉操作用の紐は、その先端側が第２の遮蔽部材と連結され、その基端側を操作することにより、第２の遮蔽部材を開閉動作させることが好ましい。
【００１５】
本発明としては、前記第１の吊り下げ用部材の内部に回転体を配して、この回転体に前記吊り下げ用の紐が巻装されていることが好ましい。回転体としては、滑車、軸部材、金属棒やニードルベアリング等が適用可能で、これらの回転体を利用することでスムーズな昇降動作が可能になり、前記第１の吊り下げ用部材の内部に回転体を配することで、回転体を外観上から認識できなくすることができる。
【００１６】
本発明としては、前記第２の遮蔽部材が取り付けられる第２の吊り下げ用部材を備え、この第２の吊り下げ用部材の内部に回転体を配し、この回転体に開閉操作用の紐が巻装されていることが好ましい。上記のような回転体を利用することでスムーズな昇降動作が可能になり、前記第２の吊り下げ用部材の内部に回転体を配することで、回転体を外観上から認識できなくすることができる。
【発明の効果】
【００１７】
本発明によれば、第１の吊り下げ用部材に昇降自在に吊り下げられて開口部を開閉する第２の遮蔽部材を備えることから、例えば、開口部の上方側から少し下げた位置で第２の遮蔽部材を吊り下げれば、開口側の上方側から日差しを部屋の中に入れることができる。また、第２の遮蔽部材を所定高さまで下げた位置で吊り下げ、第２の遮蔽部材を昇降動作させれば、所定の高さ位置だけ外部から覗き込まれない目隠しとして使用できる。したがって、外部から室内を所定高さで隠しながらも、上方から光を取り入れて、室内を明るくすることが可能になる。
【発明を実施するための最良の形態】
【００１８】
以下、本発明を実施するための最良の形態を図面を引用しながら説明する。
【００１９】
（第１の実施の形態）
本発明の遮蔽部材の開閉機構を戸（左右両開きの戸、開口部）Ｔの内側に簾を取り付ける例で説明する。図１（ａ）は、本実施の形態の遮蔽部材の開閉機構の正面図であり、（ｂ）は、側面図であり、（ｃ）は一部拡大側面図である。図２は、第２の遮蔽部材を除去した状態の図である。本実施の形態の遮蔽部材の開閉機構Ｚ１は、開口部Ｍに架け渡される第１の吊り下げ用部材Ｓｔ１に、開口部を開閉する第２の遮蔽部材Ｋ２が昇降動自在に吊り下げられている。なお、符号Ｋｇは、第１の吊り下げ用部材Ｓｔ１を吊り下げるための取付金具である。
【００２０】
第１の吊り下げ用部材Ｓｔ１には、第２の遮蔽部材Ｋ２を吊り下げる係止部材Ｎと、係止部材Ｎを昇降動作させる吊り下げ用の紐ｈ１を備える。係止部材Ｎは、第２の遮蔽部材Ｋ２である簾の上桟３ａを係止するもので、Ｌ型フックＮｆにより引っ掛けられている。係止部材Ｎは、その裏面側が開口部（戸口サッシ）Ｔの左右の桟Ｍａに沿って昇降動作するものとして説明するが、第２の実施の形態のようにレールＳｒを配することも可能である。
【００２１】
吊り下げ用の紐ｈ１は、第２の遮蔽部材Ｋ２を昇降動作（吊り上げたり吊り下げたり）するものであり、吊り下げ用の紐ｈ１の一方側（先端側）が上記係止部材Ｎと連結され、他方側（基端部）を操作することで、係止部材Ｎを所定の高さ位置に操作する。この吊り下げ用の紐ｈ１の操作する先端側は、戸口サッシＴのサイドに所定間隔で複数設けられたピン４に係止して、その引き出し長さを調整できる（図１（ｂ）（ｃ））。また、吊り下げ用の紐ｈ１は、第１の吊り下げ用部材Ｓｔ１内に配された回転である滑車ｃ１に巻装されることで、スムーズに第１の遮蔽部材Ｋ２を昇降動作させるものであるが、吊り下げ用の紐ｈ１は、第１の吊り下げ用部材Ｓｔ１に形成された貫通孔に単に通されるものでも、又、第１の吊り下げ用部材Ｓｔ１に巻装されているものでも良い。
【００２２】
第２の遮蔽部材Ｋ２は、この第２の遮蔽部材Ｋ２を巻き上げる開閉操作用の紐ｈ２により巻き上げられる。第２の遮蔽部材Ｋ２は、簾であり、その下方側から巻き上げられる巻上げ式のものであるが、本実施の形態の簾は、一番上の上桟３ａから一番下の下桟３ｂの間に複数の桟が多数配され、一番上の上桟３ａが上記係止部材Ｎに引っ掛けられている。また、上桟３ａには、着脱自在に取り付けられる固定パッドＤを取り付け、この固定パッドＤに吊り下げ用の紐ｈ１の先端側が固定され、この開閉操作用の紐ｈ２は、第２の遮蔽部材Ｋ２の正面（室内側）から下桟３ｂを介して背面側を回って引き出され、引き出された基端側を操作することで、巻き上げるものである。すなわち、開閉操作用の紐ｈ２は、第２の遮蔽部材Ｋ２をほぼＵ字状に巻き込み、開閉操作用の紐ｈ２の操作側（基端部）を引っ張ると、上記下桟３ｂを巻き込むようにして、つまり下桟３ｂが回転するようになって、これを巻き芯として、第２の遮蔽部材Ｋ２を巻き上げる（図１（ｂ））。開閉操作用の紐ｈ２は、第２の遮蔽部材Ｋ２の大きさに合わせて数本が配設されるものでも良く、その本数は問われない。なお、開閉操作用の紐ｈ２の基端側は、上記ピン４に係止させるものでも良い。
【００２３】
したがって、日差しの強く入る部屋の窓（開口部）Ｍに本実施の形態の遮蔽部材の開閉機構Ｚ１を取り付けて実際に開閉動作させる場合を説明すると、部屋に夏の強い日差しが入ることを防止するためには、図３に示すように、第２の遮蔽部材Ｋ２が吊り下げられる係止部材Ｎの位置を第１の吊り下げ用部材Ｓｔ１の近くの位置にしておけば、第２の遮蔽部材Ｋ２を下方に広げた状態にすると、開口部Ｍの全体が第２の遮蔽部材Ｋ２により遮蔽されて、室内に夏の強い日差しが入ることを防止することができる。
【００２４】
一方、室内に開口部Ｍの上方から光を入れる場合は、吊り下げ用の紐ｈ１の基端側をピン４から外して（吊り下げ用の紐ｈ１の緊張状態を緩め）、下方に引くと、吊り下げ用の紐ｈ１は、第１の吊り下げ用部材Ｓｔ１の中の滑車ｃ１を介してスムーズに引っ張られて、これにより係止部材Ｎが戸口サッシの左右の桟Ｍａにその裏面が接しながら降下する。所定の高さに第２の遮蔽部材Ｋ２が下がったところで、吊り下げ用の紐ｈ１をピン４にかけると停止して、開口部Ｍの上方側が空けられる（（図１（ａ））。ここで、第２の遮蔽部材Ｋ２の高さ位置を低くすると、第２の遮蔽部材Ｓ２の下方端部が床と接することがあるが、開閉操作用の紐ｈ２を操作して、第２の遮蔽部材Ｋ２を巻き上げれば、第２の遮蔽部材Ｓ２の下方側が床と接触する事態を防止できる。
【００２５】
また、本実施の形態の使用例としては、窓Ｍの途中などに目隠しの高さに取り付けることができる。すなわち、図４に示すように、開口部Ｍの上方側から少し下げた位置で第２の遮蔽部材Ｋ２を吊り下げるとともに、その高さ位置で第２の遮蔽部材Ｋ２の下方側を開閉操作用の紐ｈ２により引き上げれば、開口（戸口）Ｍ側の上方側と下方側から日差しを部屋の中に入れることができる。
【００２６】
ところで、本実施の形態の遮蔽部材の開閉機構は、次のように販売して、組み立てることできる。例えば、実際に販売する部品としては、簾としての第２の遮蔽部材Ｋ２や開閉操作用の紐ｈ２は市販のものがあるので、これら以外の第１の吊り下げ用部材Ｓｔ１と、係止部材Ｎと、吊り下げ用の紐ｈ１とを一つのセットとして販売すると良い。そして、吊り下げ用部材Ｓｔ１を開口部Ｍの上方に取り付け、内部の滑車ｃ１に吊り下げ用の紐ｈ１を架け渡すなどして配するとともに、係止部材Ｎを吊り下げ、この係止部材Ｎに第２の遮蔽部材Ｋ２である簾を取り付ければ良い。また、第１の吊り下げ用部材Ｓｔ１は既存（既設）のものを使用して、簾としての第２の遮蔽部材Ｋを吊り下げ用の紐ｈ１により第１の吊り下げ用部材Ｓｔ１に引っ掛けるようにしても良い。
【００２７】
（第２の実施の形態）
本実施の形態は、窓（開口部）Ｍにカーテンを取り付ける場合に本発明を適用したものである。図５（ａ）は、本実施の形態の遮蔽部材の開閉機構の正面図であり、図５（ｂ）は側面図であり、図５（ｃ）は一部拡大側面図である。図６は、レールＳｒの取付け状態を説明する図である。本実施の形態の遮蔽部材のＺ２は、上記第２の遮蔽部材Ｋ２の他に、第１の遮蔽部材Ｋ１と、第２の吊り下げ用部材Ｓ２ｔと、レールＳｒとを備え、第２の遮蔽部材Ｋ２がレールＳｒに沿って昇降動作する。
【００２８】
第１の吊り下げ用部材Ｓｔ１は、開口部Ｍの上方側に横方向に取り付けられて、取付け金具Ｌ１を介して第１の遮蔽部材（レース地のカーテン）Ｋ１を吊り下げている。第１の遮蔽部材（レース地のカーテン）Ｋ１は、左右両開きの通常の縦型タイプのカーテンと同じである。第１の遮蔽部材Ｋ１は、第２の遮蔽部材Ｋ２よりも窓Ｍ側に配置することも、これとは逆に、第２の遮蔽部材Ｋ２よりも室内側に配置することも可能である。
【００２９】
第１の吊り下げ用部材Ｓｔ１は、内部中空のもので、回転体である滑車ｃ１が内蔵され、この滑車ｃ１に吊り下げ用の紐ｈ１が巻装されている（図５（ｂ））。本実施の形態では、滑車ｃ１が第１の吊り下げ用部材Ｓｔ１の左右端側に各々配され、上記吊り下げ用の紐ｈ１は、その先端側が係止部材Ｎと連結され、基端側が左右のレールＳｒの一方（左側）に引き出されている。なお、上記吊り下げ用の紐ｈ１は２本使用されるものであるが、１本のみ使用して、その左右端を各々第２の吊り下げ用部材Ｓｔ２と連結させ、紐ｈ１の中央部分を引き出して、両方先端で連結された第２の吊り下げ用部材Ｓｔ２を引き上げ操作させても良い。そして、上記紐ｈ１は、それらの中途部が上記滑車ｃ１に巻装されている。なお、吊り下げ用の紐ｈ１を２本使用して、その１本ｈ１は、内部中空の第１の吊り下げ用部材Ｓｔ１の内部を通過して、他の１本ｈ１は、第１の吊り下げ用部材Ｓｔ１の左側端開口から入れられたり、第１の吊り下げ用部材Ｓｔ１に形成した通過孔から引き出されたりするものでも良い。したがって、上記吊り下げ用の紐ｈ１の基端側を各々引っ張ると、第２の遮蔽部材Ｋ２を左右の係止部材Ｎを介して左右のレールＳｒに沿って上昇させることができる。なお、左右のレールＳｒのうちの一方のみでも、係止部材Ｎの上昇動作を行うことは可能である。
【００３０】
開口部Ｍを遮蔽する第２の遮蔽部材Ｋ２は、ここでは、厚地の暗幕のカーテンとするが、上記左右のレールＳｒに沿って上下に移動する。係止部材Ｎは、第２の吊り下げ用部材Ｓ２ｔを係止するためのもので、左右のレールＳｒに各々取り付けられ、左右のレールＳｒに沿って昇降動する。
【００３１】
第２の吊り下げ用部材Ｓ２ｔは、係止部材ＮのフックＮｆに取り付けられ、取付け金具Ｌ１を介して第２の遮蔽部材（厚地の暗幕）Ｋ２を吊り下げている。また、第２の遮蔽部材Ｋ２の左右端部は、第２の遮蔽部材Ｋ２の取付け金具Ｌ２により上記左右のレールＳｒに取り付けられ、左右のレールＳｒに沿って昇降動する。すなわち、左右一対のレールＳｒを使用して、レールＳｒの上方側は上記係止部材Ｎの移動が保障されており、レールＳｒの下方側は第２の遮蔽部材Ｋ２の左右端部の移動が保障されている。つまり、レールＳｒは兼用されている。また、レールＳｒを使用することで、上記係止部材Ｎと第２の遮蔽部材Ｋ２は、振動等を生じさせずにスムーズに昇降動作する。第２の吊り下げ用部材Ｓ２ｔの内部は、中空のもので、滑車ｃ２が内蔵され、この滑車ｃ２に開閉操作用の紐ｈ２が巻き架けられている。上記滑車ｃ１，ｃ２を外部から認識されないようにするためである。なお、滑車ｃ１，ｃ２に代えて、軸部材、金属棒やニードルベアリング等が適用可能である。
【００３２】
本実施の形態では、上記滑車ｃ１が第１の吊り下げ用部材Ｓｔ１の左右端側に２個内蔵され、２本の吊り下げ用の紐ｈ１は、それらの基端側が左右のレールＳｒの一方（左側）に引き出され、これらの先端側が第２の遮蔽部材Ｋ２と連結されている。そして、吊り下げ用の紐ｈ１は、それらの中途部が上記滑車ｃ２に巻装されている。つまり、２本の吊り下げ用の紐ｈ１の１本ｈ１は、内部中空の第１の吊り下げ用部材Ｓ２ｔの内部を通過しており、他の１本ｈ１は、第２の吊り下げ用部材Ｓ２ｔの左側端開口から入れられ、滑車ｃ１に巻装された状態で、第１の吊り下げ用部材Ｓｔ１の通孔から引き出されている。したがって、上記２本の吊り下げ用の紐ｈ１の基端側を各々引っ張ると、第２の遮蔽部材Ｋ２を上昇させ、高い位置に配することができる。ここで、上記滑車ｃ１と開閉操作用の紐ｈ２は、第２の遮蔽部材Ｋ２の大きさによっては複数本取り付けられたり、一本取り付けられたりして、その本数は問われない。なお、吊り下げ用の紐ｈ１は、図中左側にまとめられて引き出され、開閉操作用の紐ｈ２は、図中右側にまとめられて引き出されて、操作が重ならないように配慮されている。
【００３３】
したがって、本実施の形態の遮蔽部材の開閉機構の使用例として、窓Ｍを二重のカーテンで閉めるときは（部屋全体を隠して暗くする場合は）、図７に示すように、左右両開きの第１の遮蔽部材（レースのカーテン）Ｋ１を通常の縦型タイプのカーテンと同じように中央に寄せて閉め、そして、第２の遮蔽部材Ｋ２を開口部Ｍの上方位置で第１の吊り下げ用部材Ｓｔ１に吊り下げた状態として、第２の遮蔽部材Ｋ２を広げると、室内を覗かれることを防止できるとともに、光を入れなくして暗くすることができる。
【００３４】
一方、開口部Ｍの上方側からのみ日差しを部屋の中に入れる場合は、先ず、左右両開きの第１の遮蔽部材Ｋ１を通常の縦型タイプのカーテンと同じように左右に寄せて開放させる。次に、吊り下げ用の紐ｈ１のロック状態を解除して（ピン４から外して）、第２の遮蔽部材Ｋ２を係止部材Ｎを介してレールＳｒに沿って下降動作させることにより、所定の高さ位置にすると、開口部Ｍの上方側からのみ日差しを部屋の中に入れることができる（図５（ａ））。図９に示すように、第１の遮蔽部材Ｋ１を左右に開けると共に、第２の遮蔽部材Ｋ２を一番上に引き上げて、この状態で室内に光を取り込むことも可能である。また、図１０に示すように、開閉操作用の紐２ｈにより第２の遮蔽部材Ｋ２を所定の高さにその下方から引き上げる操作が可能であることから、窓Ｍの途中などに目隠しの高さに取り付けることも可能である。
【００３５】
第２の実施の形態の第２の遮蔽部材Ｋ２としては、これに代えて第１の実施の形態の簾を取り付けることも可能である。また、上記第２の吊り下げ用部材Ｓ２ｔとしては、滑車ｃ２を有しない内部中空で、開閉操作用の紐ｈ２を通過させるものであったり、単に棒状の部材で、これに開閉操作用の紐ｈ２を引っ掛けるようにして使用するものであったりすることも可能である。さらに、第２の遮蔽部材Ｋ２としては、上記第２の吊り下げ用部材Ｓ２ｔに対して取付け金具を介して通常のカーテンを取り付けて、通常のカーテンのように左右や片側一方に手動で開閉する縦型タイプとして使用することも可能である。
【００３６】
ところで、本実施の形態の遮蔽部材の開閉機構は、次のように販売して、組み立てることできる。例えば、実際に販売する部品としては、カーテンとしての第１の遮蔽部材Ｋ１と第２の遮蔽部材Ｋ２や開閉操作用の紐ｈ２は市販のものがあるので、内部に滑車ｃ１を有する第１の吊り下げ用部材Ｓｔ１と左右のレールＳｒと係止部材Ｎと吊り下げ用の紐ｈ１と、さらに内部に滑車ｃ２を有する第２の吊り下げ用部材Ｓ２ｔと吊り下げ用の紐ｈ１を一つのセットとして販売すると良い。そして、第１の吊り下げ用部材Ｓｔ１を取り付け、係止部材ＮをレールＳｒに取り付けると共に、係止部材Ｎに第２の吊り下げ用部材Ｓ２ｔを取り付けた後に、市販の第１の遮蔽部材Ｋ１と第２の遮蔽部材Ｋ２や開閉操作用の紐ｈ２を取り付ける。第２の遮蔽部材Ｋ２は、その下方側の取付け金具Ｌ２を上記左右のレールＳｒに係止させる。
【００３７】
（第３の実施の形態）
本実施の形態は、第２の実施の形態の第１の遮蔽部材Ｋ１をロールカーテン、つまり巻き上げ式の遮蔽部材とした遮蔽部材の開閉機構Ｚ３である。なお、第２の遮蔽部材Ｋ２の内容は、第２の実施の形態と同様である。図１１は、第３の実施の形態の正面図であり、ロールカーテンである第１の遮蔽部材Ｓ１１を下まで降ろした状態の図であり、図１２は、ロールカーテンＳ１１を一番下から少し上げた状態の図である。
【００３８】
第１の遮蔽部材Ｓ１１のロールカーテンは市販品であり、下方中央に操作紐ｈ３が取り付けられている。ロールカーテンは、ロールスクリーンとも呼ばれ、一枚の生地を棒に巻きつけて上下に下げたり上げたりするもので（下方側から巻き上げる巻上げ式）、ブラインドと似た横型タイプと言うことができ、第２の遮蔽部材Ｋ２を巻き上げるものである。第２の遮蔽部材Ｋ２の操作は、第２の実施の形態の場合と同様である。このように、本実施の形態の遮蔽部材の開閉機構Ｚ３は、第１と第２の実施の形態と同様、第２の遮蔽部材Ｋ２が巻き上げ式であることから、第２の遮蔽部材Ｋ２を所定高さに低くして吊り下げても、第２の遮蔽部材Ｋ２の下方が引き上げられることにより、床面に接するような下げ過ぎとなるような事態を防止する。
【００３９】
ところで、本実施の形態の遮蔽部材の開閉機構は、次のように販売して、組み立てることできる。例えば、上記ロールカーテンは市販品があるので、これ以外の第１の吊り下げ用部材Ｓｔ１と、第２の吊り下げ用部材Ｓ２ｔと、係止部材Ｎと、吊り下げ用の紐ｈ１と、開閉操作用の紐ｈ２と、レールＳｒを一つのユニットとして販売すれば良い。
【００４０】
（第４の実施の形態）
本実施の形態は、窓（開口部）Ｍにカーテンを取り付ける場合に本発明を適用したものである。図１３（ａ）は、本実施の形態の正面図であり、（ｂ）は、側面図である。図１４は、第２の遮蔽部材を除去した状態の図である。本実施の形態の遮蔽部材の開閉機構Ｚ４は、開口部Ｍに架け渡される第１の吊り下げ用部材Ｓｔ１に、開口部を開閉する第２の遮蔽部材が昇降動自在に吊り下げられている。
【００４１】
第１の吊り下げ用部材Ｓｔ１には、第２の吊り下げ用部材Ｓ２ｔが吊り下げ用の紐ｈ１を介して吊り下げられ、第２の遮蔽部材Ｋ２が昇降動可能に吊り下げられている。第２の遮蔽部材Ｋ２は、折り目が所定間隔で施され（ギャザー（波型）により折畳まれるものであり、プリーツ加工とも呼ばれる。）、その下方側から折畳むように引き上げられる引き上げ式のカーテンである。開閉操作用の紐ｈ２は、１本使用され、第２の遮蔽部材Ｋ２の左右に各々等間隔で形成された穴に通されて、下方先端は結び目ｈｍが形成されて、上方は第２の吊り下げ用部材Ｓ２ｔに通され、この左右の紐を図中右側にのみ引き出して、右側で巻き上げ操作する。第２の吊り下げ用部材Ｓ２ｔを吊り下げる吊り下げ用の紐ｈ１は、図中左側に引き出されて、窓Ｍの枠のサイドに設けられたピン４に係止して、その係止状態により、その引き出し長さを調整する（図１（ｂ））。第２の遮蔽部材Ｋ２の上方と第２の吊り下げ用部材Ｓ２ｔとは、フックやボタンを使用して連結させると、第２の遮蔽部材Ｋ２の上方側が固定されて、引き上げ動作が行い易くなる。なお、上記紐ｈ１やｈ２は、第１や第２の吊り下げ用部材Ｓｔ１，Ｓ２ｔの内部に通されて滑車ｃ１やｃ２に巻装されているが、これらを使用せずに第１や第２の吊り下げ用部材Ｓｔ１，Ｓ２ｔの外部に単に巻装されるような構造にしても良い。
【００４２】
したがって、吊り下げ用の紐ｈ１を操作することで、第２の遮蔽部材Ｋ２を昇降動作させることができ、所定の高さ位置で、開閉操作用の紐ｈ２により第２の遮蔽部材Ｋ２を吊り上げることにより、窓Ｍに対する開口部分を種々変更させることができる。第２の遮蔽部材Ｋ２には折り目が所定間隔で施され、畳まれるように巻き上げられるので、その吊り上げ動作によっても余計な部分に皺がよるようなことはない。また、開閉操作用の紐ｈ２の結び目ｈｍを解除すると（第２の遮蔽部材Ｋ２の上方と第２の吊り下げ用部材Ｓ２ｔとがフックやボタン等で連結されているときは、これを解除すると）、第２の遮蔽部材Ｋ２を外して洗濯することができ、他方、取付けに際して、紐ｈ２を第２の遮蔽部材Ｋ２の孔に通して、結び目ｈｍを作れば、取り付けも容易である。
【００４３】
ところで、本実施の形態の遮蔽部材の開閉機構は、次のように販売して、組み立てることできる。例えば、第１の吊り下げ用部材Ｓｔ１は既存（既設）のものを使用して、第２の遮蔽部材Ｋ２や開閉操作用の紐ｈ２と吊り下げ用の紐ｈ１とを一つのセットとして販売すると良い。
【００４４】
以上、本実施の形態では、簾とカーテンを例にして説明したが、第２の遮蔽部材としてブラインドを吊り下げて、ブラインドを昇降動させることも可能である。
【図面の簡単な説明】
【００４５】
【図１】本発明の第１の実施の形態の遮蔽部材の開閉機構を説明する図であり、（ａ）はその正面図であり、（ｂ）はその側面図であり、（ｃ）はその一部拡大側面図である。正面図である。
【図２】上記第１の実施の形態の遮蔽部材の開閉機構の取付け状態を説明する正面図である。
【図３】上記第１の実施の形態の第２の遮蔽部材で開口部を遮蔽した状態を説明する正面図である。
【図４】上記第１の実施の形態の第２の遮蔽部材の上方側と下方側を開けた状態を説明する正面図である。
【図５】本発明の第２の実施の形態の遮蔽部材の開閉機構を説明する図であり、（ａ）はその正面図であり、（ｂ）はその側面図であり、（ｃ）はその一部拡大側面図である。
【図６】上記第１の実施の形態の遮蔽部材の開閉機構の側面図である。
【図７】上記第２の実施の形態の第２の遮蔽部材により開口部を遮蔽した状態を説明する正面図である。
【図８】上記第２の実施の形態の第２の遮蔽部材の下方側を引き上げた状態を説明する正面図である。
【図９】上記第２の実施の形態の第２の遮蔽部材を上方まで引き上げた状態を説明する正面図である。
【図１０】上記第２の実施の形態の第２の遮蔽部材を所定高さ位置に吊り下げた状態で下方側を引き上げた状態を説明する正面図である。
【図１１】本発明の第３の実施の形態の遮蔽部材の下方側を引き上げた状態を説明する正面図である。
【図１２】上記第３の実施の形態の遮蔽部材の下方側を上方まで引き上げた状態を説明する正面図である。
【図１３】本発明の第４の実施の形態の遮蔽部材の開閉機構を説明する図であり、（ａ）はその正面図であり、（ｂ）はその側面図である。
【図１４】上記第４の実施の形態の遮蔽部材の下方側を上方まで引き上げた状態を説明する正面図である。
【符号の説明】
【００４６】
Ｚ１，Ｚ２，Ｚ３，Ｚ４  遮蔽部材の開閉機構、
ｃ１，ｃ２      滑車（回転体）、
Ｋ１            第１の遮蔽部材、Ｋ２      第２の遮蔽部材、
Ｓｔ１          第１の吊り下げ用部材、Ｓ２ｔ  第２の吊り下げ用部材、
Ｓｒ            レール、
ｈ１            吊り下げ用の紐、ｈ２    開閉操作用の紐、ｈ３  紐、
Ｎ              係止部材、Ｎｆ  フック、
Ｌ２            第２の遮蔽部材の取付け金具
Ｍ              開口部（戸、戸口サッシ）、
Ｔ              開口部（窓）、
【図１】
2009079453.tif 000003
【図２】
2009079453.tif 000004
【図３】
2009079453.tif 000005
【図４】
2009079453.tif 000006
【図５】
2009079453.tif 000007
【図６】
2009079453.tif 000008
【図７】
2009079453.tif 000009
【図８】
2009079453.tif 000010
【図９】
2009079453.tif 000011
【図１０】
2009079453.tif 000012
【図１１】
2009079453.tif 000013
【図１２】
2009079453.tif 000014
【図１３】
2009079453.tif 000015
【図１４】
2009079453.tif 000016